(57)【要約】【課題】  表面及び裏面のシートの耐圧を超える静電気が印加された場合でも、ＬＳＩが破壊されることのないようにする。【解決手段】  アンテナパタン４と、このアンテナパタン４を介して外部装置との間で信号の授受を行うＬＳＩと、アンテナパタン４、及びＬＳＩを被覆するシート１０，１１と、このシート１０，１１とアンテナパタン４、及びＬＳＩとの間に充填される絶縁性の充填材１２と、アンテナパタン４、及びＬＳＩとシート１０，１１との間を仕切るように設けられた導電層１３，１４とを具備する。【選択図】      図２
2005284352.tif 000002
【特許請求の範囲】
【請求項１】
アンテナと、
このアンテナを介して外部装置との間で信号の授受を行うＬＳＩと、
前記アンテナ、及びＬＳＩを被覆する被覆材と、
この被覆材と前記アンテナ及びＬＳＩとの間に充填される絶縁性の充填材と、
前記アンテナ及びＬＳＩと前記被覆材との間を仕切るように設けられた導体と
を具備することを特徴とする携帯可能電子装置。
【請求項２】
前記導体は前記被覆材の内面側に設けられたことを特徴とする請求項１記載の携帯可能電子装置。
【請求項３】
前記導体は導電層を前記被覆材の内面に印刷することにより形成されることを特徴とする請求項１記載の携帯可能電子装置。
【請求項４】
前記導体は金属箔をエッチング処理することにより形成されることを特徴とする請求項１記載の携帯可能電子装置。
【請求項５】
前記アンテナとＬＳＩはコンデンサを介して接続されることを特徴とする請求項１記載の携帯可能電子装置。
【請求項６】
アンテナと、
このアンテナを介して外部装置との間で信号の授受を行うＬＳＩと、
前記アンテナ及びＬＳＩを配置する基板と、
この基板に配置された前記アンテナ及びＬＳＩを被覆する被覆材と、
この被覆材と前記アンテナ及びＬＳＩとの間に充填される絶縁性の充填材と、
前記アンテナ及びＬＳＩと前記被覆材との間を仕切るように設けられた導体と
を具備することを特徴とする携帯可能電子装置。
【請求項７】
前記アンテナとＬＳＩはコンデンサを介して接続されることを特徴とする請求項６記載の携帯可能電子装置。
【発明の詳細な説明】
【技術分野】
【０００１】
本発明は、例えば、定期券や証明カード等として適用される無線カード等の携帯可能電子装置に関する。
【背景技術】
【０００２】
この種の無線カードとしては、例えば、図４及び図５に示すようなものが知られている。
【０００３】
即ち、図中１０１は無線カードＫのカード基板で、このカード基板１０１の表面側には電子部品としてのＬＳＩ１０２及びアンテナパタン１０３さらに、コンデンサ電極１０４が配設されている。また、カード基板１０１の裏面側にはコンデンサ電極１０５が設けられている。
【０００４】
カード基板１０１、ＬＳＩ１０２、アンテナパタン１０３、コンデンサ電極１０４，１０５は、例えば、塩化ビニルやＰＥＴ−Ｇ等の樹脂製の表面シート１０６と裏面シート１０７とにより被覆されている。表面シート１０６と裏面シート１０７との間には絶縁性の充填材１０９が充填されている（例えば、特許文献１参照。）。
【０００５】
ところで、上記したように構成される無線カードＫは外部との接触端子がなく、また、その表裏面が樹脂製のシート１０６，１０７によって被覆されるため、比較的、耐静電気は高い。
【特許文献１】特開平１１−２５０２０９号公報。
【発明の開示】
【発明が解決しようとする課題】
【０００６】
しかしながら、従来においては、無線カードＫに対して表面及び裏面のシート１０６，１０７の耐圧を超える静電気が印加された場合、図５に示すように静電気が表面及び裏面のシート１０６，１０７を貫通して内部の電気回路（アンテナパターン１０３、コンデンサ電極１０４，１０５、ＬＳＩ１０２）にスパークしてＬＳＩ１０２が破壊されてしまう虞があった。
【０００７】
本発明は、上記事情に着目してなされたもので、その目的とするところは、被覆材の耐圧を超える静電気が印加された場合でも、ＬＳＩが破壊されることのないようにした携帯可能電子装置を提供することを目的とする。
【課題を解決するための手段】
【０００８】
上記課題を解決するため、請求項１記載のものは、アンテナと、このアンテナを介して外部装置との間で信号の授受を行うＬＳＩと、前記アンテナ、及びＬＳＩを被覆する被覆材と、この被覆材と前記アンテナ及びＬＳＩとの間に充填される絶縁性の充填材と、前記アンテナ及びＬＳＩと前記被覆材との間を仕切るように設けられた導体とを具備することを特徴とする。
【０００９】
請求項６記載のものは、アンテナと、このアンテナを介して外部装置との間で信号の授受を行うＬＳＩと、前記アンテナ及びＬＳＩを配置する基板と、この基板に配置された前記アンテナ及びＬＳＩを被覆する被覆材と、この被覆材と前記アンテナ及びＬＳＩとの間に充填される絶縁性の充填材と、前記アンテナ及びＬＳＩと前記被覆材との間を仕切るように設けられた導体とを具備することを特徴とする。
【発明の効果】
【００１０】
本発明によれば、アンテナ及びコンデンサさらにＬＳＩへの静電気のスパークを防止でき、静電気によるＬＳＩの破壊を防止できる。
【発明を実施するための最良の形態】
【００１１】
以下、本発明を図面に示す実施の形態を参照して詳細に説明する。  
図１は、本発明の一実施の形態である無線カードＫを示す平面図で、図２はその縦断側面図である。
【００１２】
無線カードＫはカード基材１を有し、このカード基板１の材料としては、例えば、厚さ０．０３８ｍｍのポリエチレンテレフタレート（以下、ＰＥＴという）が用いられる。このカード基板１の表面側には電子部品としてのＬＳＩ３が実装されているとともに、アンテナパタン４が設けられている。
【００１３】
ＬＳＩ３は、基板１にフリップチップ方式で実装されるインレットとされている。アンテナパタン４は例えば、厚さ０．３ｍｍのアルミニューム箔をエッチングして形成される。
【００１４】
カード基板１にはコンデンサ電極６，７が設けられ、これらコンデンサ電極６，７は、誘電体であるＰＥＴ製のカード基板１をアルミニュームパターンで挟むことにより静電容量を持ち、この実施の形態では、電極面積４ｍｍ×１０ｍｍで、約１０ＰＦの容量となっている。
【００１５】
上記ＬＳＩ３は、図３に示すようにコンデンサ電極６，７を介してアンテナパタン４に電気的に接続されている。
【００１６】
カード基板１、ＬＳＩ３及びアンテナパタン４、さらに、コンデンサ電極６，７は、被覆材としての表面シート１０と裏面シート１１とにより被覆されている。表面シート１０と裏面シート１１としては、厚さ０．０７５ｍｍのＰＥＴシートが用いられる。表面シート１０と裏面シート１１との間には絶縁性の充填材１２が充填されている。表、裏面のシート１０，１１と充填材１２とは真空ホットプレスにより一体化されたのち、カード状に打ち抜かれてカード化される。
【００１７】
また、表面シート１０と裏面シート１１の内側にはそれぞれ本発明の要部に係わる導体としての導電層１３，１４が設けられている。表面シート１０側の導電層１３は、コンデンサ電極６及びアンテナパタン４に対向され、裏面シート１１側の導電層１４は、コンデンサ電極７に対向されている。
【００１８】
導電層１３，１４は、例えば、アルミニューム粒子を多く含むインクや、銀ペーストにより印刷されて形成されている。
【００１９】
なお、導電層１３，１４は、表裏シート１０，１１の内側に、アルミニューム箔や、銅箔などの金属箔をエッチングまたは、型抜きすることにより形成するようにしてもよい。
【００２０】
このように構成される無線カードＫは、カード外部から供給される電波を電力に変換してＬＳＩ３を動作させ、残りの電力でレスポンスを返して非接触でデータ通信を可能とする。  
ところで、上記無線カードＫにはその表裏のシート１０，１１の耐圧を超える静電気が印加されることがある。この静電気は表裏シート１０，１１を貫通して内部のコンデンサ電極６，７やアンテナパタン４にスパークしてＬＳＩ３を破壊してしまう虞がある。
【００２１】
しかしながら、この実施の形態においては、上記したように、表裏のシート１０，１１に、導電層１３，１４をコンデンサ電極６，７及びアンテナパタン４さらに、ＬＳＩ３に対向する状態で設けるため、表裏のシート１０，１１に印加される静電気は導電層１３，１４により受けられる。これにより、アンテナパタン４や、コンデンサ電極６，７への静電気のスパークが防止され、ＬＳＩ３を破壊することがない。
【００２２】
上記したように、この実施の形態によれば、表裏のシート１０，１１の耐圧を超える静電気が印加されても、ＬＳＩ３を破壊することがないという利点を得ることができる。
【００２３】
なお、本発明は、上記一実施の形態に限られることなく、その要旨の範囲内で種々変形実施可能なことは勿論である。
【図面の簡単な説明】
【００２４】
【図１】本発明の一実施の形態である無線カードを示す平面図。
【図２】同無線カードを示す側断面図。
【図３】同無線カードの内部回路を示す平面図。
【図４】従来の無線カードを示す平面図。
【図５】図４の無線カードを示す側断面図。
【符号の説明】
【００２５】
２…カード基板（基板）、３…ＬＳＩ、４…アンテナパターン（アンテナ）、６，７…コンデンサ電極（コンデンサ）、１０…表面シート（被覆材）、１１…裏面シート（被覆材）、１２…充填材、１３，１４…導電層（導体）。
【図１】
2005284352.tif 000003
【図２】
2005284352.tif 000004
【図３】
2005284352.tif 000005
【図４】
2005284352.tif 000006
【図５】
2005284352.tif 000007